(57)【要約】【課題】広い作業面積を確保することができ、高所作業の安全性と能率向上に寄与することができ、しかも、組立て及び解体が簡単で解体時に嵩低くなる簡易足場を提供する。【解決手段】二台の梯子１、１と、対向させた二台の梯子１、１の踏棧２間に架設する足場板３の組合せからなり、二台の梯子１、１の対向させる面で足場板３を架設する踏棧２よりも上部の位置に、この踏棧２との間に足場板３を抜き差しできる間隔を設けて足場板押さえ部材７を固定し、梯子１、１の所定角度の傾斜配置で足場板３を前記足場板押さえ部材７と踏棧２とで上下から挟むようにする。【選択図】図１
0003121343.tif 000002
【実用新案登録請求の範囲】
【請求項１】
二台の梯子と、対向させた二台の梯子の踏棧間に架設する足場板とからなり、二台の梯子の対向させる面で足場板を架設する踏棧よりも上部の位置に、この踏棧との間に足場板を抜き差しできる間隔を設けて足場板押さえ部材を固定し、この足場板押さえ部材の梯子への固定位置が、梯子の所定角度の傾斜配置で足場板を前記踏棧とで挟む位置に設定されている簡易足場。
【請求項２】
上記足場板押さえ部材は、梯子の両側縦柱における外面間の間隔に対応する長さの角パイプを用いて形成され、その両端部が、梯子の両側縦柱で二台の梯子を対向させる面に固定した受け金物で固定支持され、梯子の両側縦柱で二台の梯子を対向させる面に水平に架設されている請求項１に記載の簡易足場。
【請求項３】
上記梯子に設けた踏棧と足場板押さえ部材は、梯子の所定角度の傾斜配置で、踏棧の上面と上記足場板押さえ部材の下面がそれぞれ水平になるように配置され、踏棧の上面と上記足場板押さえ部材の下面の垂直高さの間隔が足場板の厚みに一致している請求項１又は２に記載の簡易足場。
【考案の詳細な説明】
【技術分野】
【０００１】
この考案は、内装工事等に使用する簡易足場、更に詳しくは、対向配置する二台の梯子とその踏棧間に架設する足場板とで形成され、安定した組立て状態が得られると共に、組立てと解体が簡単に行え、解体時に嵩低くなって格納や搬入に便利な簡易足場に関する。
【背景技術】
【０００２】
例えば、建物の内装工事等において、手の届かないような高所位置の作業を行う場合、作業者が載るための足場を用いることになるが、鋼管をパイプジョイントで結合して組み立てる仮設足場では、大掛かりで組み立てと解体に手間と時間がかかり、このような大掛かりな足場では建物内での使用に不向きであるため、建物内への搬入、搬出が容易で簡単に移動できる簡易足場の使用が必要になる。
【０００３】
従来、建物の内装工事等における簡易な作業足場としては、一対の梯子脚の上端を踏板の下面両側に結合し、両梯子脚の平行状態での折畳みと両側への開脚が自在となるようにした脚立が一般的に用いられている。
【考案の開示】
【考案が解決しようとする課題】
【０００４】
ところで、建物の内装工事等においては、作業の進行と共に作業位置を移動しなければならないが、脚立における上端の踏板は平面的に狭く、作業中の移動可能な範囲が制限されているため、作業の進行と共にその都度脚立を移動させなければならず、このような脚立の移動と昇り降りは作業の能率を低下させる原因になっている。
【０００５】
また、脚立は、踏板の下面両側に梯子脚を取付けた構造になっているので、折畳んだ状態でも踏板側が嵩張り、格納や搬入に不便をきたすものである。
【０００６】
そこで、この考案の課題は、上記した問題点を解決するため、広い作業面積を確保することができ、高所作業の安全性と能率向上に寄与することができ、しかも、組立て及び解体が簡単で解体時に嵩低くなる簡易足場を提供することにある。
【課題を解決するための手段】
【０００７】
上記の課題を解決するため、この考案は、二台の梯子と、対向させた二台の梯子の踏棧間に架設する足場板とからなり、二台の梯子の対向させる面で足場板を架設する踏棧よりも上部の位置に、この踏棧との間に足場板を抜き差しできる間隔を設けて足場板押さえ部材を固定し、この足場板押さえ部材の梯子への固定位置が、梯子の所定角度の傾斜配置で足場板を前記踏棧とで挟む位置に設定されている構成を採用したものである。
【０００８】
上記足場板押さえ部材は、梯子の両側縦柱における外面間の間隔に対応する長さの角パイプを用いて形成され、その両端部が、梯子の両側縦柱で二台の梯子を対向させる面に固定した受け金物で固定支持され、梯子の両側縦柱で二台の梯子を対向させる面に水平に架設されている構造とするができる。
【０００９】
また、上記梯子に設けた踏棧と足場板押さえ部材は、梯子の所定角度の傾斜配置で、踏棧の上面と上記足場板押さえ部材の下面がそれぞれ水平になるように配置され、踏棧の上面と上記足場板押さえ部材の下面の垂直高さの間隔が足場板の厚みに一致しているようにしてもよい。
【００１０】
ここで、梯子は、所定長さを有する両側縦柱間に一定間隔で複数の踏棧を架設して形成され、両側縦柱の下端に接地部材が角度可変となるよう取付けられ、踏棧は梯子を所定角度で傾斜させたときその上面が水平になるよう両側縦柱間に架設されている。
【００１１】
簡易足場は、両側の対向させる梯子の踏棧と足場板押さえ部材間にそれぞれ足場板の端部を挿入し、この両側梯子を互に相手側に向けて所定の傾斜角度に傾けて起立させれば、踏棧と足場板押さえ部材で足場板を上下から挟むことで梯子は自立し、足場板で広い面積の作業足場を確保することができる。
【００１２】
また、簡易足場は、対向させた二台の梯子を、相手側に向けて傾斜する起立状態にすることで、踏棧と足場板押さえ部材が足場板を上下からこじるように挟むことになり、これによって、揺れに対する強度の優れた組立て状態になる。
【考案の効果】
【００１３】
この考案によると、対向させた二台の梯子の踏棧間に足場板を架設し、両側梯子を所定の傾斜角度にすることで、踏棧と足場板押さえ部材が足場板を上下から挟むようにしたので、足場板によって広い面積の作業足場を確保することができ、作業足場を煩雑に移動させるようなことがなくなり、建物の内装工事等の作業能率の向上が図れることになる。
【００１４】
また、両側梯子の踏棧と足場板押さえ部材間にそれぞれ足場板の端部を挿入するだけで組立てることができ、組立てや解体の作業が容易であると共に、解体時には、二台の梯子と足場板に分解できるので、全体が嵩低くなり、格納や搬送に有利となる。
【００１５】
また、二台の梯子を下部広がりの傾斜状に配置することにより、踏棧と足場板押さえ部材が足場板を上下からこじるように挟むことになり、揺れに対する強度の優れた組立て状態になるので、高所作業の安全性を向上させることができる。
【考案を実施するための最良の形態】
【００１６】
以下、この考案の実施の形態を図示例に基づいて説明する。
【００１７】
図示のように、簡易足場Ａは、対向させる二台の梯子１、１と、両梯子１、１の踏棧２間に架設する足場板３とで組み立てられている。
【００１８】
上記梯子１、１は、所定長さを有するアルミ角パイプを用いた両側縦柱１ａ間に、同じくアルミ製の上面が平坦となるパイプを用いた複数の踏棧２を上下に一定の間隔で架設し、両側縦柱１ａの下端に下面が滑り止めとなる接地部材４を角度可変にボルト、ナット５で取付け、両側縦柱１ａの上端にエンドキャップ６を取付けた構造になっている。
【００１９】
上記梯子１、１の横幅と上下長さ、踏棧２の数と上下間隔及び足場板３の長さは、用途に応じて設定すればよいが、図示の例では、梯子１、１の縦柱１ａを１ｍ前後の長さとし、これに三段の踏棧２を架設し、足場板３は２．５ｍの長さのアルミ製や鋼製ものを使用し、対向する梯子１、１は、例えば７５°の傾斜角度で起立配置するようになっている。
【００２０】
上記梯子１、１の対向させる面で足場板３を架設する踏棧２よりも少し上部の位置に、この踏棧２との間に足場板３を抜き差しできる間隔を設けて足場板押さえ部材７が固定され、この足場板押さえ部材７の梯子への固定位置は、上記した梯子１、１の所定角度の傾斜配置で足場板３を前記踏棧２とで上下から挟む位置に設定されている。
【００２１】
上記足場板押さえ部材７は、梯子１、１の両側縦柱１ａにおける外面間の間隔に対応する長さのアルミ製角パイプを用いて形成され、その両端部が、梯子１、１の両側縦柱１ａで二台の梯子１、１を対向させる面に固定した受け金物８で固定支持され、梯子１、１の両側縦柱１ａで二台の梯子１、１を対向させる面に水平に架設されている。
【００２２】
上記受け金物８は、金属帯板を用い、足場板押さえ部材７に外嵌するコ字型となり、両端に設けた取付け片を縦柱１ａに重ねてリベット等で固定することにより取付けられ、足場板押さえ部材７の端部と受け金物８は、貫通するボルトとこれに螺合したナット９で結合されている。
【００２３】
また、上記梯子１、１に設けた足場板３を架設する踏棧２と足場板押さえ部材７は、梯子１、１の所定角度の傾斜配置で、踏棧２の上面と上記足場板押さえ部材７の下面がそれぞれ水平になるように配置され、踏棧２の上面と上記足場板押さえ部材７の下面の垂直高さの間隔が足場板３の厚みに一致するようになっている。
【００２４】
この考案の簡易足場は上記のような構成であり、二台の梯子１、１と一枚の足場板３は、分解した状態で搬送や格納に供される。
【００２５】
作業現場において簡易足場Ａを組み立てるには、図３（ａ）と（ｂ）のように、両側の対向させる梯子１、１を垂直にした状態で、その踏棧２と足場板押さえ部材７間にそれぞれ足場板３の端部を挿入し、適宜挿入位置でこの両側梯子１、１を互に相手側に向けて所定の傾斜角度に傾けて起立させれば、図２と図３（ｃ）のように、踏棧２と足場板押さえ部材７で足場板３を上下から挟むことで梯子１、１は起立し、水平に架設された足場板３で広い面積の作業足場を確保することができる。
【００２６】
両梯子１、１が所定の傾斜角度で起立することにより、足場板３を架設した踏棧２とその上方に位置する足場板押さえ部材７が足場板３を上下からこじるように挟むことで固定化され、簡易足場Ａは揺れに対する強度の優れた組立て状態になる。
【００２７】
両側の梯子１、１は、足場板３への昇降に用いられ、足場板３の上に載って作業を行えばよく、足場板３は両端が内側に傾斜する梯子１、１の合計四本の縦柱１ａで支持されることで、長さ方向と横方向の何れにも振れ止め強度が向上し、足場板３上での作業が安全に行える。
【００２８】
また、使用済み後の簡易足場Ａは、組み立て時と逆に、梯子１、１を垂直にして踏棧２と足場板押さえ部材７間から足場板３を抜取ればよく、梯子１、１と足場板３を分解した状態にして搬出すればよい。
【図面の簡単な説明】
【００２９】
【図１】簡易足場の組み立て状態を示す斜視図
【図２】（ａ）は簡易足場の組み立て状態を示す途中省略した正面図、（ｂ）は（ａ）の矢印IIｂ−IIｂに沿う縦断側面図
【図３】簡易足場の組み立て作業の工程を示し、（ａ）は垂直にした梯子の踏棧と足場板押さえ部材間に足場板を挿入する前の正面図、（ｂ）は垂直にした梯子の踏棧と足場板押さえ部材間に足場板の端部を挿入した状態の正面図、（ｃ）は踏棧と足場板押さえ部材間に足場板を挿入した梯子を所定角度の傾斜状にして簡易足場を組立てた状態を示す正面図
【符号の説明】
【００３０】
１        梯子
２        踏棧
３        足場板
４        接地部材
５        ボルト、ナット
６        エンドキャップ
７        足場板押さえ部材
８        受け金物
９        ボルトとこれに螺合したナット
【図１】
0003121343.tif 000003
【図２】
0003121343.tif 000004
【図３】
0003121343.tif 000005